(57)【要約】【課題】  容積や重量の増大を抑えながら効率よく照明することが可能な照明装置を提供する。【解決手段】  光源５からの光Ｌを導入する受光部４ａと、この受光部４ａから導入した光Ｌを射出する出光部４ｂと、受光部４ａで導入した光Ｌを出光部４ｂへと反射する反射部４ｃ１、４ｃ２とを有する導光体４を備え、受光部４ａを出光部４ｂの外に設け、反射部４ｃ１、４ｃ２を、導入された光Ｌを導光体４の外周に沿った方向に反射する第１の反射部４ｃ１と、この第１の反射部４ｃ１によって反射された光Ｌを出光部４ｂへ反射する第２の反射部４ｃ２とから構成したものである。【選択図】  図３
2008261717.tif 000002
【特許請求の範囲】
【請求項１】
光源からの光を導入する受光部と、この受光部から導入した光を射出する出光部と、前記受光部で導入した光を前記出光部へと反射する反射部とを有する導光体を備えた照明装置であって、前記受光部を前記出光部の外に設け、前記反射部を、前記導入された光を前記導光体の外周に沿った方向に反射する第１の反射部と、この第１の反射部によって反射された光を前記出光部へ反射する第２の反射部と、から構成したことを特徴とする照明装置。
【請求項２】
前記第１の反射部は、前記受光部からの光を少なくとも２方向に分ける２つの反射部からなることを特徴とする請求項１に記載の照明装置。
【請求項３】
前記出光部が馬蹄形状であることを特徴とする請求項１に記載の照明装置。
【請求項４】
前記受光部を１つ設けたことを特徴する請求項２に記載の照明装置。
【請求項５】
前記受光部を前記出光部の線対称となる位置に設けたことを特徴する請求項４に記載の照明装置。
【発明の詳細な説明】
【技術分野】
【０００１】
本発明は、光源からの光を導光する導光体を用いた照明装置に関する。
【背景技術】
【０００２】
従来の照明装置は、光源からの光を導く導光体を備えている。この導光体は、光源からの光を導入する受光部と、この受光部から導入した光を射出する出光部と、前記受光部で導入した光を前記出光部へと反射する反射部とを有している。（特許文献１参照。）
【特許文献１】特開２００４−３２５３１２号公報
【発明の開示】
【発明が解決しようとする課題】
【０００３】
しかしながら、従来の照明装置では、光源からの光を導光体内に多く取り込む目的で受光部の厚みを増しても、出光部の厚みを増やす必要があった。このために容積や重量の増大といった問題点を有していた。
【０００４】
そこで、本発明は、前述した問題点に着目し、容積や重量の増大を抑えながら効率よく照明することが可能な照明装置を提供する。
【課題を解決するための手段】
【０００５】
本発明は、光源からの光を導入する受光部と、この受光部から導入した光を射出する出光部と、前記受光部で導入した光を前記出光部へと反射する反射部とを有する導光体を備えた照明装置であって、前記受光部を前記出光部の外に設け、前記反射部を、前記導入された光を前記導光体の外周に沿った方向に反射する第１の反射部と、この第１の反射部によって反射された光を前記出光部へ反射する第２の反射部と、から構成したものである。
【０００６】
また、本発明は、前記第１の反射部は、前記受光部からの光を少なくとも２方向に分ける２つの反射部からなるものである。
【０００７】
また、本発明は、前記出光部を馬蹄形状としたものである。
【０００８】
また、本発明は、前記受光部を１つ設けたものである。
【０００９】
また、本発明は、前記受光部を前記出光部の線対称となる位置に設けたものである。
【発明の効果】
【００１０】
本発明によれば、所期の目的を達成でき、容積や重量の増大を抑えながら効率よく照明することが可能な照明装置を提供することができる。
【発明を実施するための最良の形態】
【００１１】
以下、本発明の照明装置を計器装置に適用した場合を例にとり、添付図面に基づいて説明する。
【００１２】
計器装置１は、例えば、車両の速度などを表示するものである。この計器装置１は、指針２を備えており、指針２の背後に設けた文字板３の目盛や文字などの指標部３ａを指針２が指し示すものである。
【００１３】
計器装置１は、指針２と文字板３の他に、導光体４、光源５、フレーム６、回路基板７、計器本体８及び見返し９とで構成されている。
【００１４】
指針２は指示部２ａと指針２の回転中心部２ｂとを備えている。指示部２ａは文字板３の指標部３ａを指示するものである。回転中心部２ｂは計器本体８から延びた指針軸８ａに固定されるボス部２ｃと、このボス部２ｃを覆い隠す指針キャップ２ｄとを備えている。
【００１５】
文字板３は透明な合成樹脂からなる平板であり、その前面に指標部３ａを備えている。この指標部３ａは光Ｌを透過可能であり、指標部３ａを除く地の部分は遮光性の着色層によって光Ｌを遮断するものである。なお、本実施形態においては、地の部分は黒色である。
【００１６】
導光体４は、アクリルなどの透明な合成樹脂で、主要部４０が平板である。本実施形態においては、主要部４０は環状の一部を切り欠いた形状で、馬蹄形状あるいはＣの字形状である。この主要部４０には、主要部４０から突出形成した突出部４１に設けられている。突出部４１は、断面形状が主要部４０の板面方向に対して垂直方向に折れ曲がったようなＬの字型をし、主要部４０の中心から外側へ突出している。なお、突出部４１には貫通孔４２が設けられており、突出部４１は２箇所で主要部４０につながっている。
【００１７】
導光体４は、受光部４ａと出光部４ｂおよび反射部４ｃ１、４ｃ２とを備えている。この内、受光部４ａと反射部４ｃ１、４ｃ２とは突出部４１に設けられている。
【００１８】
受光部４ａは光源５からの光Ｌを導光体４内に導入するものである。本実施形態では、受光部４ａは突出部４１の端部に設けられた四角形の平面から構成されている。なお、本実施形態では、受光部４ａを１つだけ設けたものである。また、この受光部４ａを出光部４ｂの線対称となる位置に設けたものである。
【００１９】
出光部４ｂは受光部４ａから導入した光Ｌを射出するものである。本実施形態では、出光部４ｂは主要部４０の一面にて構成されている。
【００２０】
本実施形態では、反射部４ｃ１、ｃ２は、第１の反射部４ｃ１と第２の反射部４ｃ２とで構成されている。反射部４ｃ１、４ｃ２は受光部４ａで導入した光Ｌを出光部４ｂへと反射するものである。
【００２１】
第１の反射部４ｃ１は導入された光Ｌを導光体４の外周に沿った方向に反射するものである。本実施形態では、導入された光Ｌは、導光体４の主要部４０の出光部４ｂの外縁に沿った方向に反射されている。本実施形態では、第１の反射部４ｃ１は、２つの反射面を備えており、２つの反射面４ｃ１は互いに交わりＶの字を成している。この２つの反射面４ｃ１によって、図５で示すように、受光部４ａからの光Ｌを２方向に分けている。この２方向に分かれた光Ｌが導光体４の外周に沿うように反射される。
【００２２】
第２の反射面４ｃ２は第１の反射部４ｃ１によって反射された光Ｌを出光部４ｂへ反射するものである。本実施形態では、第２の反射部４ｃ２は、導光体４の外周に設けられており、突出部４１と主要部４０とが連なる側面である。
【００２３】
光源５は文字板３の指標部３ａを導光体４を介して透過照明するものであり、発光ダイオードなどが好適である。
【００２４】
フレーム６は合成樹脂であり、本実施形態では、光Ｌを遮るとともにその色は白色である。フレーム６は導光体４を支持するとともに筒状部６ａを備えている。この筒状部６ａは光源５の光Ｌが指針２に影響を与えないように、光源５の光Ｌを遮るものである。
【００２５】
回路基板７は、硬質の回路基板であり、例えば、基材にガラスエポキシ樹脂を用いている。光源５やフレーム６及び計器本体８が固定されている。また、その表面や裏面などには、光源５や計器本体８と電気的に接続する銅などの導電材料からなる図示しない配線パターンが設けられている。
【００２６】
計器本体８は、交差コイル式のムーブメントやステッピングモータなどが好適であり、前述した指針軸８ａを介して、指針２を駆動するものである。
【００２７】
見返し９は遮光性の合成樹脂からなるものであり、文字板３の前方（図２中左側）に設けられている。この見返し９には貫通孔９ａを備えており、この貫通孔９ａから指針２や文字板３が露出している。
【００２８】
以上のように、受光部４ａを出光部４ｂの外に設け、反射部４ｃ１、４ｃ２を、導入された光Ｌを出光部４ｂの外側に沿った方向に反射する第１の反射部４ｃ１と、この第１の反射部４ｃ１によって反射された光Ｌを出光部４ｂへ反射する第２の反射部４ｃ２とから構成したことによって、受光部４ａで導光体４内に導入した光Ｌを、第１の反射部４ｃ１によって、導光体４の外周に沿った方向に反射することで導入した光Ｌを拡散し、さらに、第２の反射部４ｃ２によって、この反射された光Ｌを出光部４ｂへ反射することでさらに光Ｌを拡散し、光源５からの光Ｌを拡散することで、照明の効率を向上させることができる。また、受光部４ａを出光部４ｂを外した位置に設けたことで、照明の均一性（拡散性）を向上させることができる。
【００２９】
また、第１の反射部４ｃ１を受光部４ａからの光Ｌを少なくとも２方向に分ける２つの反射部から構成したことによって、受光部４ａで受光した光Ｌを複数方向に導くことができ、さらに、照明の効率を向上させることができる。
【００３０】
また、出光部４ｂを馬蹄形状としたことによって、計器装置の照明として必要最低限の範囲を照明することができる。
【００３１】
また、受光部４ａを１つ設けたことによって、受光部４ａに対応する光源５の個数を削減することができるので、コストを削減することもできる。
【００３２】
また、受光部４ａを出光部４ｂの線対称となる位置に設けたことによって、コストを削減するとともに、出光部４ｂを左右均等に照明することができるので良好な照明を行うこともできる。
【図面の簡単な説明】
【００３３】
【図１】本発明の第１実施形態の正面図。
【図２】図１中Ａ−Ａ線の断面図。
【図３】同実施形態の導光体の正面図。
【図４】同実施形態の導光体の裏面図。
【図５】図３中Ｂ−Ｂ線の断面図。
【符号の説明】
【００３４】
１    計器装置
２    指針
３    文字板
４    導光体
４ａ  受光部
４ｂ  出光部
４ｃ１  第１の反射部
４ｃ２  第２の反射部
５    光源
４０    主要部
４１    突出部
Ｌ    光
【図１】
2008261717.tif 000003
【図２】
2008261717.tif 000004
【図３】
2008261717.tif 000005
【図４】
2008261717.tif 000006
【図５】
2008261717.tif 000007